(57)【要約】    【課題】  袋状体等の対象物を、その略上下方向シート状部の上縁部において支持することができる保持器の提供。    【解決手段】  対象物Ｊを上向きに支持する突条部Ｓ１を有する支持体Ｓと、その支持体Ｓとの間に対象物Ｊを保持する保持体Ｆを連結し、支持体Ｓの突条部Ｓ１の下側に、その突条部Ｓ１の一方の側に開口し、上部に下方開口凹部Ｓ３を備える支持体開口部Ｓ２を有し、保持体Ｆは、保持対象部Ｊ２を保持した状態で支持体開口部Ｓ２に嵌合して下方開口凹部Ｓ３内に上向きに突起する上向突起部Ｆ２を備える保持体嵌合部Ｆ１を有し、支持体Ｓと保持体Ｆを嵌合固定状態として保持対象部Ｊ２を保持する。対象物Ｊにおける略上下方向シート状部Ｊ１の上縁に沿う保持対象部Ｊ２を保持した状態で、その対象物Ｊを吊り下げることができる。【選択図】      図２
2020036719.tif 000002
【特許請求の範囲】
【請求項１】
対象物における略上下方向シート状部の上縁に沿う保持対象部を保持した状態で、その対象物を吊り下げるための保持器であって、
対象物を上向きに支持する支持体と、その支持体との間に対象物を保持する保持体が、連結されてなり、
前記支持体は、
前記保持対象部におけるシート状部の上縁部を下向きに折り返して下方開口状に形成した被支持用略袋状部の内部を上向きに支持するための上向きに突起し略水平方向にのびる突条部を有すると共に、
前記突条部の下側に、その突条部の一方の側に開口し、上部に下方開口凹部を備える支持体開口部を有し、
前記保持体は、保持対象部を保持した状態において支持体開口部に嵌合する保持体嵌合部を有し、その保持体嵌合部は、前記支持体開口部に嵌合した状態において前記下方開口凹部内に上向きに突起する上向突起部を備え、
前記突条部が前記被支持用略袋状部の内部を上向きに支持し、その被支持用略袋状部の下向き折り返し部を前記支持体開口部及び前記下方開口凹部と前記保持体嵌合部及び前記上向突起部の間に挟み込んだ状態で保持対象部を保持することを特徴とする保持器。
【請求項２】
上記突条部が、略水平方向の直線又は湾曲線に沿うものである請求項１記載の保持器。
【請求項３】
上記支持体と保持体が、下部において互いに回動可能に連結している請求項１又は２記載の保持器。
【請求項４】
上記保持体嵌合部と支持体開口部の嵌合状態の保持と保持解除を行うための嵌合保持機構を有する請求項１乃至３の何れか１項に記載の保持器。
【請求項５】
上記支持体と保持体を互いに回動可能に連結するためのリンク体を有し、
前記保持体の下部に前記リンク体の所定部Ａが回動可能に結合され、
保持体の下部よりも下方に位置する支持体の下部にそのリンク体の所定部Ｂが回動可能に結合され、
上記保持体嵌合部が上記支持体開口部に対し嵌合及び離脱する際に保持体嵌合部の上部が支持体開口部に対し接する位置Ｃとリンク体の所定部Ｂを結ぶ直線の長さよりも、当該接する位置と所定部Ａの間の長さとリンク体の所定部Ａと所定部Ｂの間の長さの和の方が大きく、所定部Ａが前記直線よりも支持体側に位置する状態で前記保持体嵌合部と支持体開口部が嵌合状態で保持され、前記直線を弾性的に乗り越えて所定部Ａが保持体側に位置する状態で保持体嵌合部と支持体開口部の嵌合が解除されるものである請求項３記載の保持器。
【請求項６】
上記支持体の下方部における上記突条部がのびる方向の一方側及び他方側に、それぞれ、保持対象部におけるシート状部を掛止するための、前記一方側又は下方側に開口する切欠部及び前記他方側又は下方側に開口する切欠部を有する請求項１乃至５の何れか１項に記載の保持器。
【請求項７】
上記保持体に手提用の把手部を有する請求項１乃至６の何れか１項に記載の保持器。
【発明の詳細な説明】
【技術分野】
【０００１】
本発明は、袋状体等を吊り下げた状態で保持し得る保持器に関する。
【背景技術】
【０００２】
特開２００３−３２８号公報には、棒状体１の両側面部に凹部２を設け、棒状体１の両端部に側面凹部２へと繋がる螺旋状の切り欠き３を設け、ポリ袋の下げ手部分を、棒状体１の中心部を示す目印４の真裏側を左右均等のそれぞれの起点として螺旋状の切り欠き３に沿い、ポリ袋の下げ手を棒状体１に巻きつけるようにして両側面凹部２へと通す手提ポリ袋用把手が開示されている。
【０００３】
この手提ポリ袋用把手は、ポリ袋の握り手に簡単に装着することができ、重くなったポリ袋の持ち運びをする際の握り手の苦痛を軽減することができるものとされている。
【０００４】
しかしながら、例えば公園や歩道等のゴミ拾い活動において使用されることが多いのは握り手のないポリ袋（合成樹脂フィルム製袋）である。
【０００５】
ゴミ拾い活動においては、このようなポリ袋の口部付の一部（すなわちポリ袋における略上下方向シート状部の上縁部付近）を、できるだけ開口状態を維持しつつ一方の手で握り、他方の手でゴミを拾って開口部からポリ袋に投入する。
【先行技術文献】
【特許文献】
【０００６】
【特許文献１】特開２００３−３２８号公報
【発明の概要】
【発明が解決しようとする課題】
【０００７】
本発明は、袋状体等の対象物を、その略上下方向シート状部の上縁部において支持して吊り下げることができる保持器を提供することを目的とする。
【課題を解決するための手段】
【０００８】
本発明の保持器は、次のように表すことができる。
【０００９】
(1) 対象物における略上下方向シート状部の上縁に沿う保持対象部を保持した状態で、その対象物を吊り下げるための保持器であって、
対象物を上向きに支持する支持体と、その支持体との間に対象物を保持する保持体が、連結されてなり、
前記支持体は、
前記保持対象部におけるシート状部の上縁部を下向きに折り返して下方開口状に形成した被支持用略袋状部の内部を上向きに支持するための上向きに突起し略水平方向にのびる突条部を有すると共に、
前記突条部の下側に、その突条部の一方の側に開口し、上部に下方開口凹部を備える支持体開口部を有し、
前記保持体は、保持対象部を保持した状態において支持体開口部に嵌合する保持体嵌合部を有し、その保持体嵌合部は、前記支持体開口部に嵌合した状態において前記下方開口凹部内に上向きに突起する上向突起部を備え、
前記突条部が前記被支持用略袋状部の内部を上向きに支持し、その被支持用略袋状部の下向き折り返し部を前記支持体開口部及び前記下方開口凹部と前記保持体嵌合部及び前記上向突起部の間に挟み込んだ状態で保持対象部を保持することを特徴とする保持器。
【００１０】
対象物における保持対象部におけるシート状部の上縁部を下向きに折り返して下方開口状に形成した被支持用略袋状部の内部を支持体の突条部で上向きに支持するようにして、その被支持用略袋状部の下向き折り返し部を、保持体嵌合部が支持体開口部に嵌合して下方開口凹部内に上向突起部が上向きに突起することにより、支持体開口部及び下方開口凹部と保持体嵌合部及び上向突起部の間に挟み込んだ状態で保持対象部を保持することができ、袋状体等の対象物を、その略上下方向シート状部の上縁部において支持して吊り下げることができる。
【００１１】
(2) 上記突条部が、略水平方向の直線又は湾曲線に沿うものである上記(1)記載の保持器。
【００１２】
(3) 上記支持体と保持体が、下部において互いに回動可能に連結している上記(1)又は(2)記載の保持器。
【００１３】
(4) 上記保持体嵌合部と支持体開口部の嵌合状態の保持と保持解除を行うための嵌合保持機構を有する上記(1)乃至(3)の何れか１項に記載の保持器。
【００１４】
(5) 上記支持体と保持体を互いに回動可能に連結するためのリンク体を有し、
前記保持体の下部に前記リンク体の所定部Ａが回動可能に結合され、
保持体の下部よりも下方に位置する支持体の下部にそのリンク体の所定部Ｂが回動可能に結合され、
上記保持体嵌合部が上記支持体開口部に対し嵌合及び離脱する際に保持体嵌合部の上部が支持体開口部に対し接する位置Ｃとリンク体の所定部Ｂを結ぶ直線の長さよりも、当該接する位置と所定部Ａの間の長さとリンク体の所定部Ａと所定部Ｂの間の長さの和の方が大きく、所定部Ａが前記直線よりも支持体側に位置する状態で前記保持体嵌合部と支持体開口部が嵌合状態で保持され、前記直線を弾性的に乗り越えて所定部Ａが保持体側に位置する状態で保持体嵌合部と支持体開口部の嵌合が解除されるものである上記(3)記載の保持器。
【００１５】
(6) 上記支持体の下方部における上記突条部がのびる方向の一方側及び他方側に、それぞれ、保持対象部におけるシート状部を掛止するための、前記一方側又は下方側に開口する切欠部及び前記他方側又は下方側に開口する切欠部を有する上記(1)乃至(5)の何れか１項に記載の保持器。
【００１６】
(7) 上記保持体に手提用の把手部を有する上記(1)乃至(6)の何れか１項に記載の保持器。
【発明の効果】
【００１７】
本発明の保持器によれば、対象物における保持対象部におけるシート状部の上縁部を下向きに折り返して下方開口状に形成した被支持用略袋状部の内部を支持体の突条部で上向きに支持するようにして、その被支持用略袋状部の下向き折り返し部を、保持体嵌合部が支持体開口部に嵌合して下方開口凹部内に上向突起部が上向きに突起することにより、支持体開口部及び下方開口凹部と保持体嵌合部及び上向突起部の間に挟み込んだ状態で保持対象部を保持することができ、袋状体等の対象物を、その略上下方向シート状部の上縁部において支持して吊り下げることができる。
【図面の簡単な説明】
【００１８】
【図１】保持器の正面図である。
【図２】保持器の中央部縦断面図である。
【図３】支持体を保持体に対し下方に回動させて開いた状態の保持器の斜視図である。
【図４】支持体と保持体を互いに回動させて開いた状態の保持器の斜視図である。
【図５】保持器の保持体に対し下方に回動させた支持体の一方の切欠部に保持対象部を掛止させた状態の斜視図である。
【図６】保持器の保持体に対し下方に回動させた支持体の両方の切欠部に保持対象部を掛止させた状態の斜視図である。
【図７】保持器の支持体における両方の切欠部に保持対象部を掛止させ保持体嵌合部を支持体開口部に対し嵌合させて固定させている状態の正面図である。
【図８】保持器により対象物を保持した状態の正面図である。
【図９】保持器により対象物を保持した状態の背面図である。
【発明を実施するための形態】
【００１９】
[1] 本発明の実施の形態を、図面を参照しつつ説明する。
【００２０】
図面は何れも本発明の保持器の実施の形態の一例についてのものである。
【００２１】
(1) この保持器Ｈは、対象物Ｊにおける略上下方向シート状部Ｊ１の上縁に沿う保持対象部Ｊ２を保持した状態で、その対象物Ｊを吊り下げるためのものであり、対象物Ｊを上向きに支持する支持体Ｓと、その支持体Ｓとの間に対象物Ｊを保持する保持体Ｆが、下部において互いに回動可能に連結されてなる。なお、本明細書中、上下位置関係の表現については正立状態を基本とする。
【００２２】
(2) この例における対象物Ｊは、合成樹脂フィルム製の袋（ゴミ収容用袋）であり、保持対象部Ｊ２は、その合成樹脂フィルム製の袋における略上下方向シート状部Ｊ１の上縁に沿う部分である。
【００２３】
(3) 支持体Ｓは、突条部Ｓ１及び支持体開口部Ｓ２を有する。
【００２４】
(3-1) 支持体Ｓの突条部Ｓ１は、対象物Ｊの保持対象部Ｊ２におけるシート状部の上縁部を下向きに折り返して下方開口状に形成した被支持用略袋状部の内部を上向きに支持するためのものであって、使用状態において上向きに突起し水平方向の直線に沿ってのびる。突条部Ｓ１の上面部は一定幅である。
【００２５】
突条部Ｓ１は、対象物Ｊとしての袋を開口状態で支持する上で、水平方向の直線に沿って袋の開口部の全周の長さの約６分の１にわたる。
【００２６】
(3-2) 突条部Ｓ１の全長に沿ってその下側に、突条部Ｓ１の一方の側（図２における右側）にのみ開口する横長の支持体開口部Ｓ２を有する。支持体開口部Ｓ２は、その上部に、突条部Ｓ１の全長にほぼ沿う下方開口凹部Ｓ３を備える。
【００２７】
下方開口凹部Ｓ３は、対象物Ｊの保持対象部Ｊ２を保持した状態において下方に開口するものであり、突条部Ｓ１と平行状をなす溝状をなす。
【００２８】
(3-3) 支持体Ｓにおける支持体開口部Ｓ２の下方の支持体下方部Ｓ４の両端は、突条部Ｓ１がのびる方向の突条部Ｓ１の両端よりも内方に位置し、それらの一方及び他方に、それぞれ、前記一方側に開口する切欠部Ｓ５ａ及び前記他方側に開口する切欠部Ｓ５ｂを有する。保持対象部Ｊ２におけるシート状部の上縁部を下向きに折り返して下方開口状をなす部分をそれらの切欠部Ｓ５ａ及び切欠部Ｓ５ｂに挿入して掛止する。
【００２９】
切欠部Ｓ５ａ及び切欠部Ｓ５ｂの開口部Ｐは狭小であり、開口を挟む両側の部分が上方または下方より開口を経て切欠き部内に向かって折り返す形状の略フック状断面であるため、切欠部Ｓ５ａ及び切欠部Ｓ５ｂの内部に入り込んだ被支持用略袋状部の一部が開口部Ｐから離脱することが防がれ易い。
【００３０】
(4) 保持体Ｆは、対象物Ｊの保持対象部Ｊ２を保持した状態において支持体開口部Ｓ２に嵌合する保持体嵌合部Ｆ１を有し、その保持体嵌合部Ｆ１は、支持体開口部Ｓ２に嵌合した状態において下方開口凹部Ｓ３内に突起し、下方開口凹部Ｓ３及び突条部Ｓ１と平行状をなす、突条状の上向突起部Ｆ２を備える。
【００３１】
(4-1) 支持体Ｓの突条部Ｓ１が、対象物Ｊにおける被支持用略袋状部の内部を上向きに支持すると共に、その被支持用略袋状部の下向き折り返し部を、保持体嵌合部Ｆ１が支持体開口部Ｓ２に嵌合して下方開口凹部Ｓ３内に上向突起部Ｆ２が上向きに突起することにより、支持体開口部Ｓ２及び溝状の下方開口凹部Ｓ３と保持体嵌合部Ｆ１及び突条状の上向突起部Ｆ２の間に挟み込んだ状態で保持対象部Ｊ２を保持する。
【００３２】
(4-2) 保持体嵌合部Ｆ１が支持体開口部Ｓ２に嵌合して下方開口凹部Ｓ３内に上向突起部Ｆ２が上向きに突起するものであるため、保持対象物Ｊを保持した保持器Ｈを、保持体Ｆにおいて上向きに支持して吊り下げることにより、支持体開口部Ｓ２に対する保持体嵌合部Ｆ１の嵌合の解除が防がれ、対象物Ｊの保持対象部Ｊ２の保持が確実に維持される。
【００３３】
合成樹脂フィルム製の袋における略上下方向シート状部Ｊ１の上縁に沿う保持対象部Ｊ２を保持し、その袋を開口状態で吊り下げることができるので、袋をゴミ拾い用（又はその他の用途）に好適に用い得るものとすることができる。
【００３４】
(4-3) 保持体Ｆの上部には、上向突起部Ｆ２と平行状に上方に突起する、環状をなす手提用の把手部Ｇを有する。保持対象物Ｊを保持した保持器Ｈを把手部Ｇにおいて吊り下げることにより、保持器Ｈを保持体Ｆにおいて上向きに支持して吊り下げることができる。
【００３５】
(4-4) 保持体Ｆの下部にリンク体Ｌの一端部である所定部Ａが図２における矢示の方向に回動可能に結合され、保持体Ｆの下部よりも下方に位置する支持体Ｓの下部にそのリンク体Ｌの他端部である所定部Ｂが回動可能に結合されている。
【００３６】
保持体嵌合部Ｆ１が支持体開口部Ｓ２に対し嵌合及び離脱する際に所定部Ａが図２における矢示の方向に回動し、保持体嵌合部Ｆ１の上部が支持体開口部Ｓ２に対し回動しつつ接する位置Ｃとリンク体Ｌの所定部Ｂを結ぶ直線の長さよりも、当該接する位置Ｃと所定部Ａの間の長さとリンク体Ｌの所定部Ａと所定部Ｂの間の長さの和の方が大きく、所定部Ａが前記直線よりも支持体Ｓ側に位置する状態で保持体嵌合部Ｆ１と支持体開口部Ｓ２が嵌合状態で保持され、前記直線を弾性的に乗り越えて所定部Ａが保持体Ｆ側に位置する状態で保持体嵌合部Ｆ１と支持体開口部Ｓ２の嵌合が解除される。
【００３７】
[2] 本発明の実施の形態を、上記以外の形態を含めて更に説明する。
【００３８】
(1) 本発明の保持器は、対象物における略上下方向シート状部の上縁に沿う保持対象部を保持した状態で、その対象物を吊り下げるためのものであり、対象物を上向きに支持する支持体と、その支持体との間に対象物を保持する保持体が、連結されてなる。
【００３９】
支持体と保持体は、例えば、下部において互いに回動可能に連結することができるが、必ずしもこれに限るものではない。
【００４０】
本発明の保持器は、支持体と保持体の対を、２対又はそれ以上水平方向に直列状に隣接して又は間隔をおいて備えるものとすることもできる。
【００４１】
(2) 対象物は、主に袋状体、特に合成樹脂フィルム製の袋であり、その用途は主にゴミ袋であるが、材料、形態、用途等の何れもこれに限るものではない。
【００４２】
(3) 支持体は、突条部及び支持体開口部を有する。
【００４３】
(3-1) 支持体の突条部は、対象物の保持対象部におけるシート状部の上縁部を下向きに折り返して下方開口状に形成した被支持用略袋状部の内部を上向きに支持するためのものであって、（使用状態において）上向きに突起し略水平方向にのびる。
【００４４】
突条部は、略水平方向の直線又は湾曲線に沿うものとすることができる。突条部は、略水平方向の直線又は湾曲線に沿って複数箇所に分かれたものとすることもできる。
【００４５】
突条部の上面部は、一定幅であるものとすることができるが、必ずしもこれに限らない。突条部の上面部は平面状とすることができるほか、例えば上に凸の湾曲面や突条部が伸びる方向に直交する横断面が多角形状をなすものとすることもできる。また、突条部の上面部は、突条部が伸びる方向において凹凸が繰り返すものや上下波形状をなすものとすることもできる。
【００４６】
突条部は、対象物としての袋状体を開口状態で支持する上で、少なくとも、水平方向にある程度離れた２箇所（例えば、互いに離れた２箇所、又は、その２箇所にわたり連続した部分）において、被支持用略袋状部の内部を上向きに支持するものであることが好ましい。水平方向にある程度離れた２箇所にわたる長さは、例えば対象物としての袋状体の開口部の全周の長さの１０分の１乃至３分の１程度、好ましくは８分の１乃至４分の１程度である。
【００４７】
(3-2) 突条部の下側に、突条部の一方の側に開口し、上部に下方開口凹部を備える支持体開口部を有する。
【００４８】
支持体開口部は、突条部の一方の側にのみ開口するものであることを必ずしも要しない。また、支持体開口部は、例えば、突条部の全長に沿ってその下側に位置するものとすることができる。
【００４９】
下方開口凹部は、例えば、支持体開口部の上部のほぼ全長にわたるものとすることができるほか、突条部の方向において２以上に分割されていてもよい。また下方開口凹部は、例えば、突条部と平行状をなす溝状とすることができる。
【００５０】
(4) 保持体は、対象物の保持対象部を保持した状態において支持体開口部に嵌合する保持体嵌合部を有し、その保持体嵌合部は、支持体開口部に嵌合した状態において下方開口凹部内に突起する上向突起部を備える。
【００５１】
(4-1) 支持体の突条部が、対象物における被支持用略袋状部の内部を上向きに支持すると共に、その被支持用略袋状部の下向き折り返し部を、保持体嵌合部が支持体開口部に嵌合して下方開口凹部内に上向突起部が上向きに突起することにより、支持体開口部及び下方開口凹部と保持体嵌合部及び上向突起部の間に挟み込んだ状態で対象物の保持対象部を保持する。
【００５２】
例えば、合成樹脂フィルム製（又はその他の材料製）の袋における略上下方向シート状部（袋を開口部において吊り下げた状態における、例えば正面の［或いは他の部分の］略上下方向シート状部）の上縁に沿う保持対象部を、例えば水平方向にある程度離れた２箇所にわたり連続した部分（少なくとも、水平方向にある程度離れた２箇所）において保持することにより、その袋を開口状態で吊り下げることができる。これにより、袋をゴミ拾い用（又はその他の用途）に好適に用い得るものとすることができる。
【００５３】
(4-2) 保持体嵌合部が支持体開口部に嵌合して下方開口凹部内に上向突起部が上向きに突起するものであるため、保持体において上向きに支持して保持対象物を保持した対象物を吊り下げることにより、支持体開口部に対する保持体嵌合部の嵌合の解除が効果的に防がれ、対象物の保持対象部の保持がより確実に維持される。
【００５４】
(4-3) 保持体には、手提用の把手部を有するものとすることが望ましい。
【００５５】
把手部は、例えば、保持体の上部、又は対象物の保持対象部を保持した状態において支持体の突条部よりも上方に位置するものとすることができる。
【００５６】
(4-4) 本発明の保持器は、保持体嵌合部と支持体開口部の嵌合状態の保持と保持解除を行うための、例えば次のような嵌合保持機構を有するものとすることができる。
【００５７】
例えば、保持体の下部にリンク体の所定部Ａ（例えば一端部）が回動可能に結合され、保持体の下部よりも下方に位置する支持体の下部にそのリンク体の所定部Ｂ（例えば他端部）が回動可能に結合され、保持体嵌合部が支持体開口部に対し嵌合及び離脱する際に保持体嵌合部の上部が支持体開口部に対し（一般には回動しつつ）接する位置Ｃとリンク体の所定部Ｂを結ぶ直線の長さよりも、当該接する位置と所定部Ａの間の長さとリンク体の所定部Ａと所定部Ｂの間の長さの和の方が大きく、所定部Ａが前記直線よりも支持体側に位置する状態で保持体嵌合部と支持体開口部が嵌合状態で保持され、前記直線を弾性的に乗り越えて所定部Ａが保持体側に位置する状態で保持体嵌合部と支持体開口部の嵌合が解除されるものとすることができる。
【００５８】
或いは例えば、少なくとも何れか一方が弾性的に変形し得る１又は２以上の凸部とそれらの凸部が嵌合し得る凹部を、支持体と保持体にそれぞれ設け、保持体嵌合部が支持体開口部に嵌合した状態においてそれらの凸部と凹部が嵌合固定して保持体嵌合部と支持体開口部の嵌合状態が保持され、必要な嵌合解除力を作用させることにより凸部と凹部の嵌合が解除されて保持体嵌合部を支持体開口部から離脱させえることができるものや、パッチン錠（スナップ錠）を用いるものとすることもできるが、これらに限られるものではない。
【００５９】
(5) 支持体の下方部（例えば支持体開口部の下方）における突条部がのびる方向の一方側及び他方側（例えば、突条部の両端よりも内方の一方側及び他方側）に、それぞれ、保持対象部におけるシート状部を掛止するための、前記一方側又は下方側に開口する切欠部及び前記他方側又は下方側に開口する切欠部を有するものとすることにより、保持対象部におけるシート状部の上縁部を下向きに折り返した部分、特に下方開口状をなす部分をそれらの切欠部に挿入して掛止し、保持対象部を保持する作業を容易にすると共に保持をより確実にすることができる。
【００６０】
切欠部の開口部は、掛止をより確実にする上で狭小であることが好ましく、例えば、開口を挟む両側の部分の一方又は両方が（相対する一方側又は他方側より、例えば上方または下方より）開口を経て切欠き部内に向かって折り返す形状の略フック状断面であるものとすることにより、切欠部の内部に入り込んだ被支持用略袋状部の一部が開口部から離脱することが防がれ易いこと、逆に被支持用略袋状部の一部が開口部から切欠部の内部に入り込むことができるだけ妨げられないことが好ましい。
【符号の説明】
【００６１】
Ａ      所定部
Ｂ      所定部
Ｃ      位置
Ｆ      保持体
Ｆ１    保持体嵌合部
Ｆ２    上向突起部
Ｇ      把手部
Ｈ      保持器
Ｊ      対象物
Ｊ１    シート状部
Ｊ２    保持対象部
Ｌ      リンク体
Ｐ      開口部
Ｓ      支持体
Ｓ１    突条部
Ｓ２    支持体開口部
Ｓ３    下方開口凹部
Ｓ４    支持体下方部
Ｓ５ａ  切欠部
Ｓ５ｂ  切欠部
【図１】
2020036719.tif 000003
【図２】
2020036719.tif 000004
【図３】
2020036719.tif 000005
【図４】
2020036719.tif 000006
【図５】
2020036719.tif 000007
【図６】
2020036719.tif 000008
【図７】
2020036719.tif 000009
【図８】
2020036719.tif 000010
【図９】
2020036719.tif 000011